Podtech/llm-jp-corpus-v4-ja_patent huggingface dataset:
(57)【要約】【課題】失禁用パンツに装着した尿吸着パッドの脱落を防止するための保持カバーを提供するものである。【解決手段】尿取りパッドを覆う大きさの上下二枚のネット状のカバーに夫々のネット状カバーの両端に係止具を設け、失禁パンツの底部外側と失禁パンツの局部に置いた尿漏れパッドの上部を覆うようにし、ネット状カバーで挟持するように設け、上下の係止具にて固定するように設ける。【選択図】図１
2011125657.tif 000002
【特許請求の範囲】
【請求項１】
尿取りパッドを覆う大きさの上下二枚のネット状のカバーに夫々のネット状カバーの両端に係止具を設け、失禁パンツの底部外側と失禁パンツの局部に置いた尿漏れパッドの上部を覆うようにし、ネット状カバーで尿漏れパッドを挟持するように設け、上下の係止具にて固定するように設けた失禁パンツにおける尿漏れパッドの固定用カバー。
【発明の詳細な説明】
【技術分野】    本発明は失禁パンツに尿吸水用の尿漏れパッドを装着した際、その尿漏れパッドがパンツ着脱時に不用意に便器等に落下する事を防ぐ尿漏れパッド落下保持カバーである。
【背景技術】
【０００２】  従来、尿失禁の重軽度に応じてパンツやパッドの使い分けをしているが、尿漏れパッドに関してはそのパンツ類へのテープ接着力が非常に弱く、便器等に落下する事が多々あったため、本人と周りの介護する者にとっても困っていた。
【先行技術文献】
【０００３】
【特許文献１】  特開平８−２８０７２６号公報
【発明の概要】
【発明が解決しようとする課題】
【０００４】  失禁パンツを使用される方は身体的に不自由であったり、老齢化された方、老人性特有の認知であったりする方が殆どである。それらの方が用足しをする際に、パンツや失禁用のパンツを着用し、尿漏れを吸水するための尿漏れパッドを装着して使用しているが、尿漏れパッドの交換に際し容易に取替えが出来ず、時間が掛かってしまう等使用者にとって多大な苦労をしていた。又、介助者が尿漏れパッド交換を補助する時はスムーズに尿漏れパッドの交換を行うことが容易ではなく、使用者と介護者共に苦痛に感じることが度々あった。
又、従来は失禁用の尿漏れパッドに取付けられている固定用の粘着テープの接着力が弱く、その尿漏れパッドはパンツ着脱の際にパンツから外れてしまい、便器等に落下する事が度々あるので、落下した尿漏れパッドを拾う事も出来ずパニックになり、迷惑を掛けてしまうことが度々あるので、落下を防止するための止め具が必要に迫られていた。
【課題を解決するための手段】
【０００５】  尿取りパッドを覆う大きさの上下二枚のネット状のカバーに夫々のネット状カバーの両端に係止具を設け、失禁パンツの底部外側と失禁パンツの局部に置いた尿漏れパットの上部を覆うようにし、ネットカバーで挟持するように設け、上下の係止具にて固定するように設ける。
【発明の効果】
【０００６】  失禁パンツを使用される方は身体的が不自由である方、老齢化された方、老人性特有の認知の方が殆どである。それらの方が用足しをする際に、尿漏れを吸収するための尿漏れパッドを使用しているので尿漏れパッド交換をスムーズに出来るものが望まれていたので、前記した課題を本発明にて解決出来るものである。
トイレで用を足す時に、尿漏れ用の失禁パンツの上げ下げを行っても失禁パンツと尿漏れパッドが一体に取付けられているため、尿漏れパッドが落下することは無くスムーズに行われる。尿漏れパッドを交換する際は両足が挿入されている失禁パンツの左右側から取出し交換が出来るので容易に着脱が可能なので、短時間で簡単に交換が出来、使用者は勿論介助者の負担が解消される。
又、市販品の失禁パンツと尿漏れパッドに対応できるので非常に便利である。更に、保持カバーネットは汚れた場合は失禁パンツから簡単に外せるため、洗濯も出来、ネット状に形成されているため洗濯後の乾きも早いので取扱い易く、使用者に常に衛生的な失禁パンツと保持ネットカバーを提供出来るものである。
【図面の簡単な説明】
【０００７】
【図１】本発明のネット状のカバーで尿漏れパッドを装着した状態を示す斜視図
【図２】従来の市販品の失禁パンツ示す斜視図
【図３】本発明のネット状のカバーを示す斜視図
【発明を実施するための形態】
【０００８】  以下、本発明の実施の形態を説明する。
本発明のネット状のカバーは図３に示すように、尿漏れパッド（９）を覆う大きさの上部ネット状カバー（２）と下部ネット状カバー（３）の上下二枚のカバーより成り立っている。夫々の両端には面ファスナー（４）（５）と面ファスナー（６）（７）が取付けられている。
図１は市販品の失禁パンツ（８）の底部内側で局部が当たる所に尿漏れパッド（９）が取付けられ、左右の足挿入開口部（１）から上部ネット状カバー（２）を尿漏れパット（９）の上を覆い、失禁パンツ（８）の底部外側に下部ネット状カバー（３）を覆い、上部ネット状カバー（２）と下部ネット状カバー（３）の両端に設けた面ファスナー（４）（６）と面ファスナー（５）（７）を合わせて尿漏れパッド（９）挟持するように設ける。固定するために面ファスナー以外にホック等を用いても良い。
【０００９】  本発明を使用する時には図１に示されているように、予め失禁パンツ（８）に上部ネット状カバー（２）と下部ネット状カバー（３）で尿漏れパッド（９）を取付け固定した上で、使用者が失禁パンツ（８）を穿くとスムーズに失禁パンツ（８）が装着出来る。
又、使用者がトイレなどで尿漏れパッド（９）を交換する時は、失禁パンツ（８）を足元まで下ろし、用を足した後に左右の足挿入開口部（１）から失禁パンツ（８）に取付けられた尿漏れパッド（９）を、片側の面ファスナー（４）（６）での固定を外し、尿漏れパッド（９）取出し交換することが出来る。
【００１０】  失禁パンツ（８）は多少上下、左右に余裕があるので、上部ネット状カバー（２）と下部ネット状カバー（３）で尿漏れパッド（９）を取付け固定した状態で、尿漏れパッド（９）を引き抜くことも出来る。
用を足した後に足挿入開口部（１）のどちらか一方から尿漏れパッド（９）を引き抜くことで簡単に取外し、新しい尿漏れパッド（９）を足挿入開口部（１）のどちらか一方から差し込むことで容易に装着出来る。
【００１１】  失禁パンツ（８）を足元まで下ろす際は尿漏れパッド（９）は失禁パンツ（８）に固定されているので、便器の中に落下することや床に落ちることも無くなった。
介助者が補助する際も左右の足挿入開口部（１）から尿漏れパッド（９）を出し入れ交換できるので、介助体勢が悪い状態であっても自由度があるので楽に交換が出来るようになった。
【符号の説明】
【００１２】  （１）左右の足挿入開口部、（２）上部ネット状カバー、（３）下部ネット状カバー、（４）（５）面ファスナー、（６）（７）面ファスナー、（８）失禁パンツ、（９）尿漏れパッド。
【図１】
2011125657.tif 000003
【図２】
2011125657.tif 000004
【図３】
2011125657.tif 000005
(57)【要約】      （修正有）【課題】高さの低い脚立や踏み台でもその上に昇って作業する時、足元のふらつきは危険である。その不安感を取り除き安心して作業できるようにする。運動不足になりがちな現代社会の環境で、体力保持、筋肉増強は必要である。天候・環境・に関係なく手軽に自分の能力にあわせて運動し，体力保持するための運動用具が必要である。【解決手段】脚立や踏み台の上に上る時、安全取っ手に手を添えて掴みやすい形にして昇降の危険性を防ぐようにした。中高年人口増加は急速で足腰の筋肉力が低下している。天候や環境に関わらず、身近な場所で、自分の体力は自分で保持するよう継続運動の用具として利用する。【選択図】図３
2011125651.tif 000002
【特許請求の範囲】
【請求項１】
脚立・踏み台に、身体バランスの安全確保を目的として、木材、金属、外材料類で申請と同型の取っ手を装着し  日常用品  運動用具として販売する事。
【請求項２】
申請と同形状（Ｔ字型）の支柱を製作販売する事。
【発明の詳細な説明】
【技術分野】
【０００１】本発明は  脚立・踏み台に取っ手を装着し  脚立の昇降及び台上作業の不安を無くし  身体の安全などを保持するために考案された（取っ手踏み台・脚立）である。また、運動不足になりがちな現代社会で取っ手つき踏み台を利用して運動を継続し、体力保持する。
【背景技術】
【０００２】１．２段の低い脚立・踏み台は近年  軽量で便利な金属製のものに変化してきたが、利用する場合に身体を支えるものがなく不安である。取っ手の装着によって、支えができ安全が確保できる。踏み台昇降もふらつくことなく運動ができ  健康保持に効果的である。
【発明の開示】
【発明が解決しようとする課題】
【０００３】２段脚立・踏み台の側面に支柱状の取っ手を装着することにより、昇降・及び作業上の不安を軽くする。また、踏み台昇降運動をする事によって  自主的に体力を補持する。
【課題を解決するための手段】
【０００４】作業者の作業の邪魔にならない、脚立・踏み台の側面に確実堅固に装着し、昇降・作業・などの安全を補助する。踏み台運動は童謡など歌いながら自分に適した昇降を繰り返し  楽しく体力を保持する。
【発明の効果】
【０００５】脚立・踏み台に安全取っ手を装着することにより  脚立利用による作業上の不安少なくなり  安心感が出てきて作業が気軽にできるようになった。取っ手を持つと脚立・踏み台運搬も便利である。日常生活に利用すると同時に、踏み台昇降運動器具としてつかえ・継続昇降運動で足腰の筋肉の体力保持用具としても有効である。
【実施例】
【０００６】電灯取り換え、食器取り出し、など  脚立・踏み台の昇降・作業は低いといっても転倒や横滑りなど非常に危険を伴う行動である。安全取っ手に手を添えて体のバランスを保ちながら作業すると安全である。また、踏み台昇降による運動は、運動不足になりがちな現代社会の体力保持増強に手軽に利用でき、場所もとらず  身辺に置けるので継続して利用出来る。
【図面の簡単な説明】
【０００７】
【図１】本発明の  安全取っ手の本器全体図である。
【図２】踏み台に装着し、日常踏み台や健康器具として利用する時の全体図である。
【図３】２段脚立に安全取っ手を装着した全体図である。
【符号の説明】
【０００８】１    取っ手支柱
２    取っ手握り
Ａ    装着用  直線金具
Ｂ      同    Ｕ字型金具
【図１】
2011125651.tif 000003
【図２】
2011125651.tif 000004
【図３】
2011125651.tif 000005
(57)【要約】【課題】  従来の様式トイレ便座は、便座を倒せば、どうしても便座と便器の間に少しのすき間ができる。男性の場合、排尿の軌道が間違うと便器の淵にあたり、飛散して下着やズボン、または漏れて便器や床を汚してしまうため、男性の一物を手でかるく押えて軌道を修正しなければならなかった。女性の場合、特に幼児や子供が慌てて排尿をする時なども、たまに便器の淵に当ててしまい飛散し便座と便器のすき間にあとを残したり、漏れて床を汚すことがあった。このすき間より飛散し漏れの無いよう、すき間の手前便座の下に壁のような形状を設けることで排尿を、確実に便器内に導入できる、様式トイレ排尿飛散漏れ防止型便座を提供する。【解決手段】  便座の開口された先端より少し入った裏（２）が、便器の最上位置より垂れ下がった壁のような形状（３）なので、排尿時には垂れ下がった壁のような形状にあたり、便器内に垂れ流される。この壁のような形状（３）を設けたことを特徴とする。【選択図】図１
2011125646.tif 000002
【特許請求の範囲】
【請求項１】
便座本体（１）の開口された先端より少し入った裏（２）に、便器の最上位置より垂れ下がった壁のような形状（３）を設ける。
【請求項２】
便座本体（１）の開口された先端部から左右に各々円周上４分の３以内の範囲において、便器の最上位置より垂れ下がった壁のような形状（３）を特徴とする。
【発明の詳細な説明】
【技術分野】
【０００１】  この発明は、男女にかかわらず座って排尿をする時に便座と便器のすき間から飛散や漏れを防ぐための便座の形状に関するものである。
【背景技術】
【０００２】  従来、男性が様式トイレにて座って排尿するときや、女性が急いで排尿する時などは誤って便器先端の淵に当て、飛散してあとが残ったり、下着やズボンを汚してしまったり、また漏れて便器や床を汚してしまう事があった。
【発明の開示】
【発明が解決しようとする課題】
【０００３】  これは次のような欠点があった。
従来は座って様式トイレにて排尿をする時、便座を倒せば、どうしても便座と便器の間に少しのすき間ができる。男性の場合、排尿の軌道が間違うと便器の淵にあたり、飛散して下着やズボン、または漏れて便器や床を汚してしまうため、男性の一物を手でかるく押えて軌道を修正しなければならなかった。女性の場合、特に幼児や子供が慌てて排尿をする時なども、たまに便器の淵に当ててしまい飛散し便座と便器のすき間にあとを残したり、漏れて床を汚すことがあった。
本発明は、以下のような欠点をなくすためになされたものである。
【課題を解決するための手段】
【０００４】  便座本体（１）の開口された先端より少し入った裏（２）に、便器の最上位置より垂れ下がった壁のような形状（３）を設けた。
本発明は、以上のような構成よりなる洋式トイレ用排尿飛散防止型便座である。
【発明の効果】
【０００５】  便座の開口された先端より少し入った裏（２）が、便器の最上位置より垂れ下がった壁のような形状（３）なので、排尿時には垂れ下がった壁のような形状にあたり、便器内に垂れ流される。
よってその構成から飛散や漏れによる便器や床を汚す事無く排尿する事が出来る。
【発明の実地するための最良の形態】
【０００６】  以下、本発明を実地するための最良の形態について説明する。
便座本体（１）の開口された先端より少し入った裏（２）に、便器の最上位置より垂れ下がった壁のような形状（３）を設ける。
本発明は、以上のような構成でこれを使用する。
【図面の簡単な説明】
【０００７】
【図１】  本発明の裏から見た斜視図である。
【図２】  便座と便器の側断面図である。
【図３】  本発明の真裏から見た正面図である。
【符号の説明】
【０００８】１  便座本体
２  開口された先端より少し入った裏部
３  壁のような形状
【図１】
2011125646.tif 000003
【図２】
2011125646.tif 000004
【図３】
2011125646.tif 000005
(57)【要約】      （修正有）【課題】お湯を捨てることが無く、捕らえたゴミが湯面に戻る事も無く、ゴミだけを捕集する器具を提供する。【解決手段】上面を開口２した容器１の内側に、上面を開口し、垢や毛髪等のゴミを通さず、水やお湯だけを通す袋状のフィルタ３を装着し、容器１の底面に複数の通水穴６を設け、容器１の底面の外側に撓性の軟質樹脂からなる逆流防止板５を片側だけ容器１底面に固定したことを特徴とする、浴槽に浮いたゴミ捕集容器とする。この容器を浴槽の湯にいれると、浴槽の湯面に浮いた垢や毛髪と一緒に周囲のお湯を掬う。この時、逆流防止板５は下からの水圧により、容器の底に密着する。その後で、容器１を持ち上げると、逆流防止板５が下方に撓み、お湯のみが通水穴６から流れ出て浴槽に戻る。垢や毛髪等のゴミは、容器内のフィルタ３に捕集される。【選択図】図１
2011125650.tif 000002
【特許請求の範囲】
【請求項１】
上面を開口した容器の内側に、上面を開放した袋状のフイルタを装着し、容器の底面に複数の通水口を設け、容器の底面の外側に撓性の軟質樹脂からなる逆流防止板を片側だけ容器底面に固定し設けたことを特徴とする、浴槽に浮いたゴミ捕集容器
【発明の詳細な説明】
【技術分野】
【０００１】  本発明は、浴槽などに浮いた垢や毛髪等のゴミを取り除くための捕集容器に関するものである。
【背景技術】
【０００２】  従来、浴槽の湯面に浮いている垢や毛髪等のゴミを掬い取るのに、手桶、袋状の器具等を使用していた。
なお、掬ったゴミが散乱しないようにするため、内部にフイルタを取り付けた風呂用手桶が知られている。（特許文献１参照）
【先行技術文献】
【０００３】
【特許文献１】  特開２００４−２３０１２５
【発明の概要】
【発明が解決しようとする課題】
【０００４】  手桶で浴槽の湯面に浮いている垢や毛髪等のゴミのを掬い取る場合、垢や毛髪等のゴミと同時に周囲のお湯も入り込み、お湯も同時に捨てていた。また、袋状の器具で垢や毛髪等のゴミを掬い取る場合、使用の度に器具の洗浄が必要だった。洗浄が不充分な状態で再使用すると捕集した垢や毛髪等のゴミが再度浴槽に戻る事が多々あった。特許文献１に示す風呂用の手桶は構造が複雑であり製造コストが嵩む。本発明は以上の問題点を解決する為になされたものである。
【課題を解決するための手段】
【０００５】  適当な大きさの容器の底に複数の小さな穴を開け、容器の底面の外側に小穴を塞ぐためのビニル板等、適度に撓む板からなる逆流防止板一端を固定し他端を開閉自由に設ける。浴槽の水が容器の底に開けた穴を通して容器内に入らないような構造で、内側に垢や毛髪等のゴミを捕集する為のフイルタ等を取り付けた容器。
【発明の効果】
【０００６】（イ）浴槽などに浮いた垢や毛髪等のゴミを、浴槽のお湯を捨てることなく捕集することができる。
（ロ）フイルタでゴミ等を濾し取るためのフイルタを交換するだけで容器の清掃が不要である。
（ハ）フイルタを交換することにより長期間使用可能である。
【図面の簡単な説明】
【０００７】
【図１】本発明の断面図である。
【図２】本発明の断面図である。
【図３】本発明の底面図である。
【発明を実施する為の形態】
【０００８】  以下、本発明の実施形態を説明する。
（イ）適当な大きさの上面を開口した容器（１）の底面に複数の通水穴（６）を設ける。
（ロ）容器（１）の底面の外側に、通水穴を塞ぐように、軟質樹脂からなる逆流防止板（５）を片側だけを固定ビス（７）で固定する。
（ハ）容器の内側に、垢や毛髪等のゴミを通さず、水やお湯だけを通すフイルタ（３）を取り付け開口部（２）を有するフイルタ固定枠（４）で固定する。
（ニ）容器（１）の外側側面に取手（８）を有する容器を採用した。
本発明は以上のような構造である。
本発明品を使用するときは、開口部（２）から浴槽の湯面に浮いた垢や毛髪等のゴミと同時に周囲のお湯を掬う。この時、逆流防止板（５）は下からの水圧により、容器の底に開けた通水穴（６）と密着し、通水穴（６）から容器内にお湯は入らないため、容易に湯面の垢や毛髪等のゴミが混ざったお湯を掬うことができる。お湯が満杯になる前に容器（１）を持ち上げる。この時、逆流防止板（５）は図２のように下方に撓み、通水穴（６）との間に隙間ができるため、お湯は通水穴（６）から流れ出て浴槽に戻る。垢や毛髪等のゴミは容器内のフイルタ（３）に捕集される。フイルタ（３）は適時交換する。
【符号の説明】
【０００９】  （１）容器、（２）開口部、（３）フイルタ、（４）フイルタ固定枠、（５）逆流防止板、（６）通水穴、（７）固定ビス、（８）取手
【図１】
2011125650.tif 000003
【図２】
2011125650.tif 000004
【図３】
2011125650.tif 000005
(57)【要約】【課題】    本発明は表面張力による毛細管現象を利用して灰汁を板と板の隙間に効率よく吸い取り除去することができるようにすることを得るにあたる。【解決の手段】    設定された柄と先端部が任意枚数の板をわずかな隙間を設けて垂直に連続して櫛状に並べた柄と先端の構造をもつ一体あるいは固定的に取り付けられた柄とからなる灰汁取りで表面張力による毛細管現象を利用して先端部に設けられた板のそれぞれの隙間に灰汁を吸い上げ保持し除去することができる。【選択図】図１
2011125644.tif 000002
【特許請求の範囲】
【請求項１】
あらかじめ設定された柄と一体もしくは固定的に取り付けられた柄と先端部に任意枚数の板を０．５〜１．２ｍｍの隙間を設け垂直に連続して櫛状に並べ形成された形状を特徴とする灰汁取り。
【請求項２】
先端部に設けられた櫛状の板と板の隙間に表面張力による毛細管現象を利用して灰汁を吸い上げ保持し除去することができることを特徴とする灰汁取り。
【発明の詳細な説明】
【技術分野】
【０００１】この発明は、あらかじめ設定された柄と一体もしくは固定的に取り付けられた柄の先端に円周の一部をともなった形状の板を任意の枚数（８〜１５枚）だけ０．５〜１．２ｍｍの隙間を設け垂直に連続して櫛状に並べた形状にし、表面張力による毛細管現象を利用して板と板の隙間に灰汁を吸い上げ保持し除去するようにした灰汁取りに関するものである。
【背景技術】
【０００２】従来、網で濾すもの、お玉の裏に突起を設け灰汁の表面張力で付着させるものや、繊維や紙状のものに灰汁を吸収させるものがあった。
【発明の開示】
【発明が解決しようとする課題】
【０００３】これは、次のような欠点があった。
お玉の裏に突起を設けたものは灰汁を上から押し付け付着するため、灰汁が煮汁に溶け込むこともあり、灰汁を一度に吸着するには十分でなかった。繊維状や紙状のものは消耗品で使用するたびに廃棄物が発生していた。網式は灰汁で網の目が詰まり洗い流すのが面倒であった。
【課題を解決するための手段】
【０００４】柄の先端に円周の一部をともなった形状の板を任意枚数だけ０．５〜１．２ｍｍの隙間を設け、櫛状に垂直に並べた構造にしたものである。
【発明の効果】
【０００５】板と板を任意（０．５〜１．２ｍｍ）の隙間を設けて櫛状に垂直に並べることで灰汁にわずかに触れるだけで毛細管現象により灰汁が吸い上げられ除去できる。【０００６】毛細管現象を利用するので板の表面積に比例して容積が大きく出来できるので一度に大量の灰汁が触れるだけで吸い取ることが出来る。【０００７】毛細管現象を利用することで灰汁に触れるだけで吸い上げられるので灰汁が煮汁に溶け込むこと無く除去できる。【０００８】吸い取った灰汁は水に浸けるか水を流すだけで簡単に除去できる。
【発明を実施するための最良の形態】
【０００９】以下、本発明を実施するための最良の形態について説明する。
あらかじめ設定された柄と一体もしくは固定的に取り付けられた柄の先端に円周の一部をともなう形状の板を任意の隙間（０．５〜１．２ｍｍ）を設け８〜１５枚必要枚数櫛状に垂直に連続して並べた形態のものである。本発明は、以上のような構造である。
【図面の簡単な説明】
【００１０】
【図１】  本発明の斜視図である。
【図２】  本発明の上面図である。
【図３】  本発明の側面図である。
【図４】  本発明の灰汁を吸い上げ除去する実施図である。
【符号の説明】
【００１１】  １  あらかじめ設定された柄もしくは固定的に取り付けられた柄部
２  円周の一部をともなう形状の板を櫛状にならべた先端のスリット部
３  柄と固定する取り付け部
【図１】
2011125644.tif 000003
【図２】
2011125644.tif 000004
【図３】
2011125644.tif 000005
【図４】
2011125644.tif 000006
(57)【要約】【課題】  靴、履物は形式に飽きても装飾具が固設されているため、装飾具を自由に取替え交換することは出来なかった。装飾具を取り外し、自由に取替えが出来れば靴、履物を新調したような気分になれる。また、経済的である。装飾具を取り外し、取替えができる靴、履物を提供する。【解決手段】  靴、履物のアツパ−部、ベルト部及び周縁部などに小孔をあけ、磁石吸着ハトメを設ける。装飾品の下部に磁石を設けた装飾具をハトメに挿着することを特徴とする装飾具を取り外し、取替えができる靴、履物である。【選択図】図２
2011125647.tif 000002
【特許請求の範囲】
【請求項１】
靴、履物のアツパ−部に小孔をあけ、磁石吸着部材のハトメを設け、装飾品の下部に磁石を設けた装飾具を挿着することを特徴とする装飾具を取り外し、取替えができる靴、履物。
【請求項２】
靴、履物のベルト部に磁石吸着部材のハトメを設けた請求項１の装飾具を取り外し、取替えができる靴、履物。
【請求項３】
靴、履物の周縁部に磁石吸着部材のハトメを設けた請求項１又は請求項２の装飾具を取り外し、取替えができる靴、履物。
【発明の詳細な説明】
【技術分野】
【０００１】  本発明は、靴、履物の装飾具を取り外し、取替えができるようにした靴履物に関するものである。
【背景技術】
【０００２】  従来、靴、履物には装飾具は付いていたが固設されていた。
【先行技術文献１】
【発明の概要】
【発明が解決しようとする課題】
【０００３】  そのために次のような欠点があつた。
（イ）  靴、履物の形式に飽きても装飾具が固着されている為に装飾具を取り替えることが出来なかった。
（ロ）  靴、履物を新調するしかなかった。
（ハ）  女性は毎日同じ靴、履物を履くわけにはいかず新調するには経済性が悪かった。
（ニ）  装飾具の形や色を自由に交換でき、新調した気分に成れる靴、履物が求められていた。
本発明は、以上の問題点を解決するものである。
【課題を解決するための手段】
【０００４】  靴、履物のアツパ−部、ベルト部、周縁部に小孔をあけ、磁石吸着部材のハトメを設ける。装飾品の下部に磁石を設けた装飾具をハトメに挿着することを特徴とする。装飾具を取り外し、取替えができる靴、履物。
以上の構成よりなる装飾具を取り外し、取替えができる靴、履物である。
【発明の効果】
【０００５】  本発明の靴、履物は日時の気分でいろいろな形式及び色の装飾具を取り付け、取り外し、取替えができるので女性は靴、履物を新調した気分に成れる。また、気分が癒され楽しくなれる。一足で数足の効用があるため経済的である。暑い日時は装飾具を取り外せば通気性が良くなり靴内の嫌な悪臭も軽減される。雨天のときは装飾具を磁石吸着ハトメに挿着すればハトメと装飾具の磁石で吸着、密着されるので雨水は浸入しない。また、走っても装飾具が外れ取れることはない。未使用の装飾具は小さいので保管場所はポケツトなど何処でも保管できる。
【図面の簡単な説明】
【０００６】
【図１】  本発明の斜視図
【図２】  本発明の使用状態を示す斜視図
【図３】  本発明の使用状態を示す拡大断面図
【発明を実施するための形態】
【０００７】  以下、本発明の実施の形態を説明する。
（イ）  靴、履物のアツパ−部（１）ベルト部（２）及び周縁部（３）などに小孔をあけ、磁石吸着部材のハトメ（４）を設ける。
（ロ）  装飾具（５）は装飾品（６）の下部に所要長さの柱状磁石（７）を設け固設する。
本発明は、以上の構成よりなる装飾具を取り外し、取替えができる靴、履物である。
本発明を使用する時は
靴、履物のアツパ−部（１）ベルト部（２）及び周縁部（３）などの磁石吸着部材のハトメ（４）にいろいろな形式、色の装飾具（５）をその日の気分で挿着する。
【符号の説明】
【０００８】（１）  アツパ−部
（２）  ベルト部
（３）  周縁部
（４）  磁石吸着部材ハトメ
（５）  装飾具
（６）  装飾品
（７）  磁石
【図１】
2011125647.tif 000003
【図２】
2011125647.tif 000004
【図３】
2011125647.tif 000005
(57)【要約】【課題】ホットストーン（意匠登録第１３６９８０９号）をワンタッチで脱着出来て、適度に加熱されたホットストーン（意匠登録第１３６９８０９号）で他人の手を借りることなく、手の届かない自分の背中にホットストーンセラピーを施せるようにしたい。【解決手段】  頭部１の先端に設けた切り込みのある空間３と頭部１の中央に取り付けた市販の自動式留め金具（オートラッチ）４の開錠や閉錠の働きを利用してホットストーン（意匠登録第１３６９８０９号）をワンタッチで脱着可能にし、ホットストーン用アームに取り付けてある適度に加熱されたホットストーン（意匠登録第１３６９８０９号）で他人の手を借りることなく自分の背中にホットストーンセラピーが施せるように、頭部１の下に手で握るための脚部２を設け、あたかも英語のＬという字を逆さまにしたような形状のホットストーン用アームを作った。【選択図】図１
2011125663.tif 000002
【特許請求の範囲】
【請求項１】
頭部１の下に脚部２を設け、頭部１の先端に切り込みのある空間３を設け、頭部１の中央にドア開閉に使用する市販の自動式留め金具（オートラッチ）４を取り付けた、ホットストーン用アーム。
【発明の詳細な説明】
【技術分野】
【０００１】  本発明は、ホットストーン（意匠登録第１３６９８０９号）を英語のＬという字を逆さまにしたような形状のホットストーン用アームにワンタッチで脱着出来るようにし、他人の手を借りることなくホットストーン（意匠登録第１３６９８０９号）で自分の背中にホットストーンセラピーが施せることを目的とした、ホットストーン用アームに関するものである。
【背景技術】
【０００２】  血行が悪くなっている部位に、適度に加熱した石を当てて血流を改善して健康の増進を図るという方法は、古来より日本だけでなく外国でもよく行われていた。また、最近では心身の癒しという観点から、石を温めてそれを身体に当てて健康を増進する、いわゆるホットストーンセラピーがブームになっている。
【発明の開示】
【発明が解決しようとする課題】
【０００３】  伏臥した身体にバスタオルを被せて、お湯或いは電子レンジで適度に加熱したホットストーンを背中や腰に乗せて身体を温めて健康増進するというホットストーンセラピーは従来から存在していた。しかし、次ような欠点があった。
ホットストーンで背中を温めるには、ホットストーンサロンに行ったり、自宅でホットストーンセラピーを行う際でも、背中を温めるには常に他人の手を借りなければならず、一人暮らしの人は非常に不便であった。
【課題を解決するための手段】
【０００４】  ホットストーン（意匠登録第１３６９８０９号）をホットストーン用アームにワンタッチで脱着出来るようにして、尚かつ手の届かない自分の背中を温めることを可能にするために英語のＬという字をを逆さまにしたような形状のホットストーン用アームを考案した。
【発明の効果】
【０００５】  ホットストーンで背中を温めるためには常に他人の手を借りなくてはならず非常に不便であったが、ホットストーン（意匠登録第１３６９８０９号）をワンタッチで脱着出来るＬ字型の形状をしたホットストーン用アームを考案したので、一人でも背中を温めることが可能となり簡単に背中のホットストーンセラピーが楽しめるようになった。
【発明を実施するための最良の形態】
【０００６】  以下、本案の実施について述べる。
英語のＬという字を逆さまにしたような形状をしたホットストーン用アームは、頭部１と脚部２から構成されている。頭部１の先端部分には切り込みがある空間３が設けてある。頭部１の中央部にはドア開閉に使用する市販の自動式留め金具（オートラッチ）４が取り付けてある。
市販の自動式留め金具４は、ピン５、ピンノブ６、スイッチボタン７で構成されている。この市販の自動式留め金具４は、閉錠の際にピンノブ６を指で奥まで押せばピン５は前に飛び出し、それと同時に内蔵のバネが収縮されその反発作用で逆戻りしないように自動的にロックされるようになっている。また、開錠の際にスイッチボタン７を押すとロックが解除されバネの反発作用でピン５が瞬時に引っ込むようになっている。
Ｌ字型ホットストーン用アームに使用するホットストーン（意匠登録第１３６９８０９号）はホットストーン頭部８、ホットストーン頸部９，ホットストーン本体１０という構成になっている。
加熱されたホットストーン（意匠登録第１３６９８０９号）は希には熱すぎる場合があるので、安全のために厚手の手袋を装着して取り扱う方がよい。そして、加熱されたホットストーン（意匠登録第１３６９８０９号）をホットストーン用アームに取り付ける際には、まず自動式留め金具（オートラッチ）４のスイッチボタン７を押しピン５を引っ込めて開錠状態にしておき、切り込みのある空間３にホットストーン頸部９が通過出来るようにする。ホットストーン頸部９が切り込みのある空間３の先端に嵌ったら、ピンノブ６を指で押しピン５を前に出して閉錠の状態にする。そうなれば、ピン５の先端がホットストーン頭部８に当たり、ホットストーンは逆戻り出来ずにホットストーン用アームにしっかりと固定される。
ホットストーン用アームに適度に加熱されたホットストーン（意匠登録第１３６９８０９号）を取り付けたら、脚部２を手で掴んでホットストーン本体１０を肩越しに背中に当てると、他人の手を借りることなく背中のホットストーンセラピーを一人で楽しむことが出来る。
また、十数分間経過してホットストーンの熱が低下してきたならば、自動式留め金具（オートラッチ）４のスイッチボタン７を指で押せば、中に内蔵されているバネの反発作用でピン５は瞬時に引っ込んで切り込みのある空間３が解放され、ホットストーンを簡単に外すことが出来る。そして、さらに十数分間背中のホットストーンセラピーを楽しみたい場合には、再度電子レンジ等でホットストーン（意匠登録第１３６９８０９号）を適度に温めて同じ動作を繰り返せばよい。
【図面の簡単な説明】
【０００７】
【図１】  自動式留め金具（オートラッチ）４を開錠している状態の本案の斜視図である。
【図２】  ホットストーン（意匠登録第１３６９８０９号）の斜視図である。
【図３】  自動式留め金具４を閉錠して、ホットストーン（意匠登録第１３６９８０９号）を本案のホットストーン用アームに取り付けている状態の斜視図である。
【符号の説明】
【０００８】  １    頭部
２    脚部
３    切り込みのある空間
４    自動式留め金具
５    ピン
６    ピンノブ
７    スイッチボタン
８    ホットストーン頭部
９    ホットストーン頸部
１０  ホットストーン本体
【図１】
2011125663.tif 000003
【図２】
2011125663.tif 000004
【図３】
2011125663.tif 000005
(57)【要約】【課題】  ゴーヤ、かぼちゃ、冬瓜などのわたを取り出すのに、今まではスプーンで代用していましたが、力がいるし、何度も繰り返し取らねばならなかった。本発明はわたを取り出すことが簡単にできます。【解決手段】  にぎり部の両端の大小スプーン型の先端部分を薄くして切れ易くする、また反対に持ちかえてかき出すようにも使えます。【選択図】図１
2011125662.tif 000002
【特許請求の範囲】
【請求項１】
棒状のにぎり部の一端に小型のスプーンを設け、他端に大型のスプーンを設けたことを特徴とする、かぼちゃ等の野菜の内容物取り出し用具。
【発明の詳細な説明】
【技術分野】
【０００１】  本発明はゴーヤ、かぼちゃ、冬瓜などの野菜の内容物取り出し用具に関するものである。
【背景技術】
【０００２】  従来ゴーヤ、かぼちゃ、冬瓜などのわたを取り出すには、スプーンで代用していた。
【発明の開示】
【発明が解決しようとする課題】
【０００３】  ゴーヤ、かぼちゃ、冬瓜などのわたを取り出すには、スプーンで取ると力がいるし何度も繰り返し取らねばならなかった。
本発明は以上の問題点を解決するために、なされたものである。
【課題を解決するための手段】
【０００４】  上記問題を解決するため本発明は棒状のにぎり部の一端に小型のスプーンを設け、他端に大型のスプーンを設けたことを特徴とする、かぼちゃの等の野菜の内容物取り出し用具である。
【発明の効果】
【０００５】  本発明によりゴーヤ、かぼちゃ、冬瓜などのわたを簡単に取り出すことができる。
本発明はメロンの種を取り出すこともできる。
【発明を実施するための最良の形態】
【０００６】  以下本発明の実施の形態を説明する。
▲１▼  使用する際、片手で握る部分でにぎり部は握り易くする。
▲２▼、▲３▼  大小のスプーン型にする。
▲４▼、▲５▼  先端の部分は薄くする。
▲６▼  図１に示すようにつける部分は力がかかるので強固にする。
以上のような構造からなる本発明を実際に使用する場合、次のようになる。
縦半分に切ったゴーヤの１本を左手に持ち、右手でスプーン型をすくうように取り出します。
ゴーヤの中心部は大きいスプーン型で取り、ゴーヤの端の方は小さいスプーン型を使う。
また図２に示すようにスプーンを反対に持ってかき出すように使うこともできる。
【図面の簡単な説明】
【０００７】
【図１】  本発明の斜視図
【図２】  本発明の使用状態を示す斜視図
【符号の説明】  １．  にぎり部
２．  皿部（大）
３．  皿部（小）
４．  先端
５．  先端
６．  首部
【図１】
2011125662.tif 000003
【図２】
2011125662.tif 000004
(57)【要約】【課題】  食器類を洗浄時、洗浄具を介して食器に加える圧力を自由に変えて伝達することができ、食器の内面と外面を同時に洗浄することができる洗浄具を提供する。【解決手段】  食器洗浄具の基板１の上に手の指を通すための指通し２ａと２ｂを設け、該指通しの一方に親指を通し、残ったもう一方の指通しには残りの指を通して、洗浄具の基板１を握る様に持つことにより、基板１の中央部が折れ曲がり、この折れ曲がり部に食器を挟むように持って洗浄することにより、洗浄力を意のままに加減して伝達でき、食器の内面と外面を同時に効率的に洗浄することができる。また、洗浄具の指通しに指を通した状態で手の平を開くことにより洗浄具の基板が開かれて、平面の広い皿とか盆も有効的に洗浄できるものである。【選択図】図１
2011125661.tif 000002
【特許請求の範囲】
【請求項１】
食器洗浄具の基板の上に、手の指を通すための指通しを二か所設け、一方の指通しに親指を通し、他方の指通しには残りの指を通して、洗浄具の基板を握るように持つことにより、洗浄具の基板の中央部が折れ曲がり、この折れ曲がり部に食器を挟んで洗浄することにより、洗浄力の加減を意のままに伝達することができ、食器の内面と外面を同時に洗浄できるように構成した食器洗浄用具。
【発明の詳細な説明】
【技術分野】
【０００１】  本発明は、食器を洗浄する時の効率化を図った食器洗浄用具に関する。
【背景技術】
【０００２】  従来の家庭用の食器洗浄用具は、洗浄具に切り込みを設け、前記切り込みに差し込んで各種食器等の洗浄とコップ洗いの両方ができるようにしたものがある。（特許文献１参照）
また洗浄具の一か所を切り離して基板を重ねて二つ折になる折り曲げ自在の屈曲部を設けて食器の内外面を洗浄できるようにしたものもある。（特許文献２参照）【０００３】  以下、図３、図４により従来の食器洗浄用具について説明する。３図において、洗浄用具６は切り込み７を有し、該切り込みにコップを差し込んで洗浄するものである。【０００４】  図４は、薄板による輪の一か所を切り離して切断部を設けた基板８を形成し、重ねて二つ折になるように折り曲げ自在の屈曲部１０を設けた洗浄用具９である。
【先行技術文献】
【特許文献】
【０００５】
【特許文献１】  実用新案登録第３０７２３９７号公報
【特許文献２】  実開平７−３７０３５号公報
【発明の概要】
【発明が解決しようとする課題】
【０００６】  以上に述べた従来の食器洗浄用具では、洗浄具の切り込みにコップや食器を挟んで洗浄できるようにしたものや、輪の一か所を切り離した基板にスポンジ等の洗浄素材を設けて二つ折になる折り曲げ自在の屈曲部に食器類を挟んで内外面を同時に洗浄することができるようにしたものであったが、洗浄具が棒状で洗浄面が細く狭いため、食器への洗浄力の伝達が難しく洗浄効率の向上は難しいものであった。【０００７】  本発明は、このような従来の洗浄用具の有していた問題を解決しようとするものであり、平面部の多い皿や、茶碗のような面の大きな食器でも洗浄力の加減を意のままに伝達することができ、食器の内外面を同時に洗浄できる洗浄効率のよい食器洗浄用具を提供することを目的とするものである。
【課題を解決するための手段】
【０００８】  そして、本発明は、上記目的を達成するために、皿や茶碗のように広い面を持つ食器の内面と外面を同時に洗浄できるように、食器洗浄具の基板の上に指を通すべく指通しを設けて、食器洗浄用具の基板が二つ折りになり、食器をより確実に保持できるように指通しを設けたものである。
【発明の効果】
【０００９】  上記、課題解決手段による作用は次の通りである。すなわち、食器洗浄具の基板の上に、基板の中央部を境に振り分け、二か所に手の指を通せるように指通しを設置し、該指通しの一方に親指を通し、他方の指通しに残りの指を通して手のひらを握ることにより、洗浄具の基板を中央部から二つ折りに折り曲げることができるように構成したものである。【００１０】  上述したように本発明の、食器洗浄具は、指通しに指を通して手の平を握ることによって該食器洗浄具の基板が二つ折りにたたまれて、挟んだ皿や茶碗の内面と外面を同時に洗浄することができる。【００１１】また、手の平を開いた状態で洗浄具の基板を広げて洗浄すると、広い面の皿や盆も効率よく洗浄できる食器洗浄具を提供することができる。
【図面の簡単な説明】
【００１２】
【図１】  本発明の実施形態を示す食器洗浄具の外観図
【図２】  本発明の実施形態を示す食器洗浄具の外観図
【図３】  従来の洗浄具の外観図
【図４】  従来の洗浄具の外観図
【発明を実施するための形態】
【００１３】  以下、本発明の実施形態を図１〜図２に基づいて説明する。
【００１４】  図１においては、１は食器を洗浄する洗浄具の基板で、２ａと２ｂは指を通すための指通しであり、基板１の中央から振分けて二ヵ所に取り付けられている。
【００１５】図２は、洗浄具の基板３にセパレートタイプの指通し４ａと４ｂを基板３の中央部から振分けて二か所に取り付けたものである。
【００１６】  以下、上記構成の動作を説明する。洗浄具の基板１に取り付けられた指通し２ａに、親指を通し、もう一つの指通し２ｂに残りの指を通して、洗浄具の基板１を手の平で握るように持つことによって、基板１の中央部が折り曲がり洗浄力の加減を意のままに洗浄する食器に伝達することができる。
【００１７】  上記、洗浄具の折り曲がり部で食器を挟むように持って洗浄することにより、食器の内面と外面を同時に洗浄することができる。
【００１８】  また、図２のセパレートタイプの指通し４ａと４ｂに指を通すことにより、指通しの分割壁５を指と指で挟むことができ、洗浄具をより強く確実に保持することができる。
【００１９】  また、洗浄具の指通しに指を通した状態で手の平を開くことにより洗浄具の基板が開かれて、平面の広い皿とか盆も有効的に洗浄することができるものである。
【００２０】  図１の、洗浄具の基板１に設けた指通し２ａと２ｂは指を通す機能が同等のもので、どちらに親指を通しても問題なく使用できるものである。
【００２１】  図２の、洗浄具の基板３に設けた指通し４ａと４ｂは指を通す機能が同等のもので、どちらに親指を通しても問題なく使用できるものである。
【符号の説明】
【００２２】１  洗浄具の基板
２ａ  指通し
２ｂ  指通し
３  洗浄具の基板
４ａ  セパレートタイプの指通し
４ｂ  セパレートタイプの指通し
５  指通しの分割壁
６  たわし本体
７  切り込み
８  基板
９  洗浄素材
１０  屈曲部
【図１】
2011125661.tif 000003
【図２】
2011125661.tif 000004
【図３】
2011125661.tif 000005
【図４】
2011125661.tif 000006
(57)【要約】【課題】消火器及び消火器スタンドの設置場所は、視認性重視のため、工場や商業施設では通路や入り口付近の邪魔になりやすい場所に置かれ、時に、前に物を置かれたり移動させられたりして、火災発生時に消火器が有るにもかかわらず、初期消火が失敗し易い原因だった。【解決手段】本発明は、消火器スタンドに昇降装置を取付けることにより消火器スタンドを頭上  に設置し視認性が良く邪魔にならない場所に設置出来る。【選択図】図２
2011125597.tif 000002
【特許請求の範囲】
【請求項１】
昇降装置を取付けて頭上に設置した消火器スタンド              
【発明の詳細な説明】
【技術分野】
【０００１】
本発明は、消火器スタンドに昇降装置を取付けることにより、消火器スタンドを頭上に設置する。
【背景技術】
【０００２】
消火器の設置については消火器ボックスの設置場所は取扱者の腰付近に設置となっていて主として台所のガスレンジ火災には即対応可能だ。
【０００３】
本発明の場合、商業施設、工場において視認性と利便性を両立させ火災の発生時にいかに初期消火に対応し易く邪魔にならない場所に置く。
【先行技術文献】
【特許文献】
【０００４】
【特許文献１】特開平１０-０１５１０４
【発明の概要】
【発明が解決しようとする課題】
【０００５】
解決しようとする問題点は、消火器及び消火器スタンドの設置場所が視認性重視のため、通路や入り口付近の邪魔になりやすい場所に置かれ前に物を置かれたり移させられたりして火事などの非常時に消火器が有るにもかかわらず初期消火が失敗し易い原因になる、消火器スタンドの設置場所をいかに視認性が良く邪魔にならない場所にする。
【課題を解決するための手段】
【０００６】
本発明は、消火器スタンドに昇降装置を取付け消火器スタンドを頭上に設置する。
【発明の効果】
【０００７】
工場や商業施設などでも作業や通行の邪魔にならない場所に設置でき視認性と利便性を両立させ火災発生時に初期消火時に使用し易い。
【図面の簡単な説明】
【０００８】
【図１】図１は消火器スタンドと引き出された消火器の正面図
【図２】図２は消火器スタンドと引き出された消火器の側面図        Ａ；消火器本体Ｂ；消火器スタンドＣ；アームＤ；スプリングアーム        Ｅ；シャフトＦ；ホールダー
【発明を実施するための形態】
【０００９】
この消火器スタンドを通路や入り口の邪魔にならない高さに設置する。
【産業上の利用可能性】
【００１０】
工場や商業施設では通常の消火器スタンドとして入り口や通路の頭上に設置し通行中に触って倒れたりせず作業の邪魔にならない。
【図１】
2011125597.tif 000003
【図２】
2011125597.tif 000004
(57)【要約】      （修正有）【課題】スカラロボットの関節部において、二重あるいはそれ以上の防水、防塵および吸水または塵埃の排出を可能としたスカラロボットの関節部を提供する。【解決手段】スカラロボットの関節部６において、関節部内部と関節部外の外気に繋がる隙間に、入口側から関節内部に向って順にラビリンス部１０次いでＯリング１１を設けたこと、を特徴とするスカラロボットの関節部とした。さらにまた、空隙部１２と、内部に溜まった水や塵埃を抜き取る導出口１３を備えて構成した。【選択図】図２
2011125946.tif 000002
【特許請求の範囲】
【請求項１】
スカラロボットの関節部において、関節部内部と関節部外の外気に繋がる隙間に入口側から関節内部に向って順にラビリンス部、次いでОリングを設けたこと、を特徴とするスカラロボットの関節部。
【請求項２】
請求項１記載のスカラロボットの関節部は、さらに、前記ラビリンス部と前記Оリングとの間に空隙部を設け、この空隙部に外気と選択的に連絡する導出口を設けたこと、を特徴とするスカラロボットの関節部。
【発明の詳細な説明】
【技術分野】
【０００１】
本発明は、スカラロボットに係り、より一層詳細には、スからロボットの関節部の構造に関する。
【背景技術】
【０００２】
床ＦＬに対し水平方向の作業をする既に従来からよく知られているスカラロボット１の概要について、図１により説明する。まず、ベース２内に備えられているモータ（外部からは不可視であり、従って図示省略）により、第１アーム３は、関節部４において軸Ｆ１を支点として、床ＦＬに対し水平方向（紙面に対し垂直方向）に回動する。さらに、第２アーム５は、関節部６において、軸Ｆ２を支点として、床ＦＬに対し水平方向に回動し、第２アーム５の回転軸７に取り付けた加工用工具、把持用治具などのエンドエフェクタにより種々の加工作業をするように構成されている。
【０００３】
前述のようなスカラロボット１の関節部４あるいは関節部６においては、防水や防塵が必要であり、関節部６の内部と関節部外の外気との境の隙間に、Оリングやラビリンスの内の何れか一の手段を用いることが周知である。このような構造についての公知の発明としては、例えば特開平９‐５７６８０号公報に開示されているように、ロボット本体を覆うカバーには、ラビリンスを介して取り付けてあることが開示されている。
【先行技術文献】
【特許文献】
【０００４】
【特許文献１】特開平９‐５７６８０号公報
【発明の概要】
【発明が解決しようとする課題】
【０００５】
上述のように、スカラロボットの関節部において、関節部内部と関節部外の外気に繋がる隙間は、Оリングやラビリンス構造により防水、防塵が施されているものの、Оリングやラビリンスの内の何れか一つの手段であったため、何等かの事故によりこの手段が破れた場合、水や埃がロボット内部に侵入し、故障の原因となる欠点があった。
【０００６】
本発明の目的は、前述のようにスカラロボットの関節部において、防水や防塵が不十分であるという欠点を解消し、二重の対策あるいは更なる対策をして、十分な防水、防塵を可能としたスカラロボットの関節部を提供することにある。
【０００７】
そのような目的のため、スカラロボットの関節部において、内部と関節部外の外気に繋がる隙間には、ラビリンスとОリングによる二重あるいはそれ以上の対策を行えば良い、という結論に達し、本発明に至った。
【課題を解決するための手段】
【０００８】
前述の目的を達成するため本発明は、スカラロボットの関節部において、関節部内部と関節部外の外気に繋がる隙間に入口側から関節内部に向って順にラビリンス部、次いでОリングを設けたこと、を特徴とするスカラロボットの関節部とした。
【０００９】
またこのロボットアームの関節部は、ラビリンス部とОリングの間に空隙部を設け、
この空隙部に外気と選択的に連絡する導出口を設けたこと、を特徴とするスカラロボットの関節部とした。
【発明の効果】
【００１０】
この発明によれば、二重あるいはそれ以上の対策をして有り、仮にラビリンス部とОリングの内の一側が破れても防水、防塵が可能であり、さらにラビリンス部とОリングの間に空隙部に水等が溜まった場合にも、外部から抜き取ることが可能であり、防塵防水に優れた構造を提供できる。
【図面の簡単な説明】
【００１１】
【図１】この発明の好適に適用されるスカラロボットであって全体の概要を示した側面図である。
【図２】この発明が好適に適用されるスカラロボットの関節部の概略説明図で、拡大された図１の断面Ａ‐Ａ図である。
【図３】この発明が好適に適用されるスカラロボットの関節部の概略説明図で、拡大された図１の断面Ｂ‐Ｂ図である。
【発明を実施するための形態】
【００１２】
次に本発明の一実施形態について図２により説明する。図２においては、第１アーム３とベース２の間にある関節部４を示しており、ベース２に取り付けられたモータ８の回転を歯車列９により、第１アーム３に伝え、さらに第１アーム３は、軸Ｆ１を軸として回動するように構成されている。この際に、ベース２と第１アーム３の間に形成される関節部内部と関節部外の外気に繋がる隙間（図中“イ”部）に入口側から関節内部に向い、順にラビリンス部１０、次いでОリング１１を設け、防水、防塵に対して、二重の対策をしてある。
【００１３】
さらに、ラビリンス部１０とОリング１１との間に空隙部１２を設け、この空隙部１２に外気と連絡する導出口１３を設け、普段は栓をしておき必要に応じて内部に溜まった水等を吸引、排水、さらには塵埃の排除を行なうことも可能である。
【００１４】
また、同様に図３を用いて説明すると、第１アーム３と第２アーム５との間にある関節部６には、図中に“ロ”部で示す第１アーム３と第２アーム５との間に形成される関節部内部と、関節部外の外気に繋がる隙間は、入口側から関節の内部に向って順にラビリンス部１４、次いでОリング１５を設け、防水、防塵に対し二重の対策をして有る。
【００１５】
またさらに、ラビリンス部１４とОリング１５の間に空隙部１６を設け、この空隙部１６に外気と連絡する導出口１７を設け、普段は栓をしておき必要に応じて内部に溜まった水等を吸引や排水、さらには塵埃の排除を行なうことも可能であることは、前述の関節部４と同様である。
【符号の説明】
【００１６】
１  スカラロボット
２  ベース
３  第１アーム
４、６ 関節部
５  第２アーム
７  回転軸
８  モータ
９  歯車列
１０、１４  ラビリンス部
１１、１５  Оリング
１２、１６  空隙部
１３、１７  導出口
【図１】
2011125946.tif 000003
【図２】
2011125946.tif 000004
【図３】
2011125946.tif 000005